【手続補正書】
【提出日】平成26年4月10日(2014.4.10)
【手続補正１】
【補正対象書類名】特許請求の範囲
【補正対象項目名】全文
【補正方法】変更
【補正の内容】
【特許請求の範囲】
【請求項１】
アプリケーションの統合を提供するための方法であって、
クライアント・アプリケーションを実行するステップと、
前記クライアント・アプリケーションがブラウザー・アプリケーションにアクセスできるように、前記クライアント・アプリケーションをウェブ・ページに接続するステップと、
前記ブラウザー・アプリケーションに関連付けられる第１の機能性を識別するステップと、
前記第１の機能性に関連付けられるユーザー・インターフェース要素を前記クライアント・アプリケーション内に表示するステップと
を含む、方法。
【請求項２】
請求項１記載の方法であって、更に、
前記表示されたユーザー・インターフェース要素の選択を前記クライアント・アプリケーションのユーザが取り出すステップと、
前記ブラウザー・アプリケーションに関連付けられる前記第１の機能性を呼び出すステップと
を含む、方法。
【請求項３】
請求項２記載の方法であって、更に、
第２の機能性が前記クライアント・アプリケーションにより提供されているか、および、前記第１の機能性を呼び出すステップに関連付けられているかどうかを判定するステップと、
前記第２の機能性が前記クライアント・アプリケーションにより提供されており、および、前記第１の機能性を呼び出すステップに関連付けられているという判定に応答して、前記第２の機能性を前記クライアント・アプリケーションによって呼び出すステップと
を含む、方法。
【請求項４】
前記クライアント・アプリケーションが前記ブラウザー・アプリケーションから結果通知を受け取るステップを更に含む、請求項２記載の方法。
【請求項５】
前記結果通知を前記クライアント・アプリケーションのユーザに対して表示するステップを更に含む、請求項４記載の方法。
【請求項６】
請求項１記載の方法において、
前記第１の機能性に関連付けられる前記ユーザー・インターフェース要素を前記クライアント・アプリケーション内に表示するステップが、
前記第１の機能性に関連付けられるアクション・カテゴリを識別するステップと、
前記アクション・カテゴリに関連付けられる前記ユーザー・インターフェース要素に対して視覚的外観を割り当てるステップと
を含む、方法。
【請求項７】
前記ユーザー・インターフェース要素に対して割り当てられた前記視覚的外観が、色、テキストのスタイル、配置場所、アイコン、およびメニュー配置の内少なくとも１つを含む、請求項６記載の方法。
【請求項８】
命令のセットを記憶するコンピュータ可読媒体であって、前記命令のセットにより実行される時にアプリケーションの統合を提供するための方法を実行し、該方法が
前記クライアント・アプリケーションがブラウザー・アプリケーションにアクセスできるように、前記クライアント・アプリケーションを、制御を含むウェブ・ページに接続するステップと、
呈示される要素を前記ブラウザー・アプリケーションが含むかどうかを判定するステップと、
前記ブラウザー・アプリケーションが、呈示される要素を含むという判定に応答して、前記ブラウザー・アプリケーションの呈示される要素が前記クライアント・アプリケーションのユーザに利用可能であることの指標を、前記クライアント・アプリケーションのユーザー・インターフェース内に表示するステップと
を含む、コンピュータ可読媒体。
【請求項９】
前記呈示される要素はデータ要素を含む、請求項８記載のコンピュータ可読媒体。
【請求項１０】
請求項９記載のコンピュータ可読媒体であって、前記方法が更に、
前記クライアント・アプリケーションのユーザからアクション要求を受け取るステップと、
前記アクション要求が、データ要素に対する変更を含むかどうかを判定するステップと、
前記アクション要求が前記データ要素に対する変更を含むという判定に応答して、前記ブラウザー・アプリケーションにデータ要素に対する前記変更を通知するステップと
を含む、コンピュータ可読媒体。
【請求項１１】
前記データ要素がヘルプ・トピックを含む、請求項９記載のコンピュータ可読媒体。
【請求項１２】
請求項１１記載のコンピュータ可読媒体において、
前記ブラウザー・アプリケーションの前記呈示される要素が前記クライアント・アプリケーションのユーザに利用可能であることの前記指標を前記クライアント・アプリケーションのユーザー・インターフェース内に表示するステップが、前記ヘルプ・トピックを、前記クライアント・アプリケーションに関連付けられるヘルプ・メニューに追加するステップを含む、コンピュータ可読媒体。
【請求項１３】
前記呈示される要素が機能を含む、請求項８記載のコンピュータ可読媒体。
【請求項１４】
請求項１３記載のコンピュータ可読媒体において、
前記ブラウザー・アプリケーションの前記呈示される要素が前記クライアント・アプリケーションのユーザに利用可能であることの前記指標を前記クライアント・アプリケーションのユーザー・インターフェース内に表示するステップが、少なくとも１つのアクション要素を、前記クライアント・アプリケーションに関連付けられるユーザー・インターフェースに追加するステップを含む、コンピュータ可読媒体。
【請求項１５】
請求項１４記載のコンピュータ可読媒体であって、前記方法が更に、
前記少なくとも１つのアクション要素の選択を前記クライアント・アプリケーションのユーザからの入力として受け取るステップと、
前記ブラウザー・アプリケーション上の前記機能を呼び出すステップと 
を含む、コンピュータ可読媒体。
【請求項１６】
請求項１５記載のコンピュータ可読媒体であって、前記方法が更に、
前記機能を呼び出すステップに応答して、前記ブラウザー・アプリケーションから結果通知を受け取るステップと、
前記クライアント・アプリケーションのユーザに対して、前記ブラウザー・アプリケーションから受け取った前記結果通知に関連付けられるメッセージを表示するステップと
を含む、コンピュータ可読媒体。
【請求項１７】
請求項８記載のコンピュータ可読媒体であって、前記方法が更に、
複数の呈示される要素を識別するステップであって、該複数の呈示される要素のそれぞれが、複数のブラウザー・アプリケーションの内少なくとも１つに関連付けられるステップと、
前記複数の呈示される要素のそれぞれに関連付けられる前記クライアント・アプリケーションにおける前記ユーザー・インターフェース内に要素を作成するステップと
を含む、コンピュータ可読媒体。
【請求項１８】
アプリケーションの統合を提供するためのシステムであって、
メモリ記憶装置と、
該メモリ記憶装置に連結されるプロセシング・ユニットと
を備え、前記プロセシング・ユニットが、
クライアント・アプリケーションが該クライアント・アプリケーションからブラウザー・アプリケーションにアクセスできるように、制御を含むウェブ・ページに接続すること、
前記ブラウザー・アプリケーションに関連付けられる少なくとも１つの呈示される機能を識別すること、
前記クライアント・アプリケーション内にユーザー・インターフェース要素を表示することであって、前記ユーザー・インターフェース要素が前記少なくとも１つの呈示される機能に関連付けられること、
前記少なくとも１つの呈示される機能を実行する要求を、前記クライアント・アプリケーションのユーザから前記ユーザー・インターフェース要素を介して受け取ること、
前記クライアント・アプリケーションが、前記少なくとも１つの呈示される機能に関連付けられる実行前の機能を備えるかどうかを判定すること、
前記クライアント・アプリケーションが前記少なくとも１つの呈示される機能に関連付けられる実行前の機能を備えるという判定に応答して、前記実行前の機能を実行すること、
前記少なくとも１つの呈示される機能を実行する要求を、前記ブラウザー・アプリケーションに送ること、
前記少なくとも１つのブラウザー・アプリケーションによる前記少なくとも１つの呈示される機能を実行する要求に関連付けられる結果を、前記ブラウザー・アプリケーションから受け取ること、
前記受け取った結果に関連付けられる通知を前記クライアント・アプリケーションのユーザに対して表示すること、
前記クライアント・アプリケーションが前記少なくとも１つの呈示される機能に関連付けられる実行後の機能を備えるかどうかを判定すること、
前記クライアント・アプリケーションが前記少なくとも１つの呈示される機能に関連付けられる実行後の機能を備えるという判定に応答して、前記実行後の機能を実行すること
を行うように動作する、システム。
【請求項１９】
請求項１８記載のシステムにおいて、ユーザー・インターフェース要素を前記クライアント・アプリケーション内に表示することが、
前記少なくとも１つの呈示される機能に関連付けられるアクション・カテゴリを識別すること、および
前記アクション・カテゴリに関連付けられる前記ユーザー・インターフェース要素に対して視覚的外観を割り当てること
を含む、システム。
【請求項２０】
前記ユーザー・インターフェース要素に対して割り当てられた前記視覚的外観が、色、テキストのスタイル、配置場所、アイコン、およびメニュー配置の内少なくとも１つを含む、請求項１８記載のシステム。